(57)【要約】【課題】  被包装物の厚み、大きさ等に拘わらず、適切に緩衝包装することができるパルプモウルド製緩衝板を使用した緩衝包装体を提供する。【解決手段】  表面１ａに複数の凸部２が縦横に形成され、裏面１ｂに複数の凹部２ａが形成されたパルプモウルド製緩衝板１を使用した緩衝包装体１０であって、パルプモウルド製緩衝板１を広げた状態の裏面１ｂに被包装物Ｐを載置した状態で、パルプモウルド製緩衝板１を、その裏面１ｂを内側にして二つ折りして被包装物Ｐを裏面１ｂ側の二面で挟持し、被包装物Ｐを挟持した二つ折りのパルプモウルド製緩衝板１の外側全体を熱収縮性樹脂フィルム３によりシュリンク包装したものであり、被包装物Ｐがパルプモウルド製緩衝板１の周縁部１ｃ，１ｄより内側に位置するように構成する。【選択図】  図１
0003202429.tif 000002
【実用新案登録請求の範囲】
【請求項１】
表面に複数の凸部が縦横に形成され、裏面に上記凸部に対応する複数の凹部が形成されたパルプモウルド製緩衝板を使用した緩衝包装体であって、
上記パルプモウルド製緩衝板を広げた状態の上記裏面における右半部側又は左半部側の範囲内に被包装物を載置した状態で、上記パルプモウルド製緩衝板を、その裏面を内側にして二つ折りして上記被包装物を当該パルプモウルド製緩衝板の上記裏面の二面で挟持したものであり、
かつ、上記被包装物を挟持した二つ折りの上記パルプモウルド製緩衝板の外側全体を、熱収縮性樹脂フィルムによりシュリンク包装したものであり、
上記被包装物が上記パルプモウルド製緩衝板の周縁部より内側に位置しているものであることを特徴とする緩衝包装体。
【請求項２】
表面に複数の凸部が縦横に形成され、裏面に上記凸部に対応する複数の凹部が形成されたパルプモウルド製緩衝板を使用した緩衝包装体であって、
上記パルプモウルド製緩衝板を広げた状態の上記表面における右半部側又は左半部側の範囲内に被包装物を載置した状態で、上記パルプモウルド製緩衝板を上記表面を内側にして二つ折りして上記被包装物を当該パルプモウルド製緩衝板の上記表面の二面で挟持したものであり、
かつ、上記被包装物を挟持した二つ折りの上記パルプモウルド製緩衝板の外側全体を、熱収縮性樹脂フィルムによりシュリンク包装したものであり、
上記被包装物が上記パルプモウルド製緩衝板の周縁部より内側に位置しているものであることを特徴とする緩衝包装体。
【請求項３】
上記パルプモウルド製緩衝板の上記凸部は、各々、頭部が方形を成す截頭四角錘形状であり、
上記パルプモウルド製緩衝板の上記表面から上記凸部の上記頭部までの長さは、上記頭部の一辺の長さと同一か、又は、上記頭部の一辺の長さよりも長く形成されているものである請求項１記載の緩衝包装体。
【請求項４】
上記パルプモウルド製緩衝板の上記凸部は、各々、頭部が方形又は円形を成す直方体形状又は円柱形状であり、
上記パルプモウルド製緩衝板の上記表面から上記凸部の上記頭部までの長さは、上記頭部の一辺の長さ又は上記頭部の直径よりも短く形成されているものである請求項１又は２記載の緩衝包装体。
【請求項５】
上記熱収縮性樹脂フィルムの面に、宅配便で送付する宛先を記載したシール片を付着したものである請求項１〜４の何れかに記載の緩衝包装体。
【考案の詳細な説明】
【技術分野】
【０００１】
本考案は、例えば宅配便等としてそのまま発送することも可能なパルプモウルド製緩衝板を使用した簡易な構成の緩衝包装体に関するものである。
【背景技術】
【０００２】
従来、宅配便等に使用される包装体であって緩衝機能を有するものは、緩衝材で挟持した被包装物を、緩衝材と共に大型の封筒の中に収納する構造であった（特許文献１）。
【０００３】
また、封筒の内面全域にシート状の緩衝材を予め貼り付けておき、当該封筒の内部に被包装物を収納する構造であった（特許文献２）。
【先行技術文献】
【特許文献】
【０００４】
【特許文献１】実用新案登録公報第３０７６２７１号公報
【特許文献２】特開２００１−５８６４８号公報
【考案の概要】
【考案が解決しようとする課題】
【０００５】
ところで、上記従来の包装体は、既存の封筒の大きさに制限されるため、既存の封筒の大きさを超える厚さを有する被包装物を緩衝包装することは難しかった。
【０００６】
従って、上記従来の包装体では、厚みの大きな被包装物はそもそも封筒に入れることが困難となるし、厚みが大きく、かつ、全体の大きさが上記封筒の大きさより相当程度小さい被包装物等は、上記従来の包装体では適切に緩衝包装することができないという課題があった。
【０００７】
本考案は、上記従来の課題に鑑みてなされたものであり、被包装物の厚み、大きさに拘わらず、適切に緩衝包装することができるパルプモウルド製緩衝板を使用した緩衝包装体を提供することを目的とする。
【０００８】
また、本考案は、被包装物を包装した状態のまま宅配便等として発送可能なパルプモウルド製緩衝板を使用した緩衝包装体を提供することを目的とする。
【課題を解決するための手段】
【０００９】
上記の目的を達成するため本考案は、
第１に、表面に複数の凸部が縦横に形成され、裏面に上記凸部に対応する複数の凹部が形成されたパルプモウルド製緩衝板を使用した緩衝包装体であって、上記パルプモウルド製緩衝板を広げた状態の上記裏面における右半部側又は左半部側の範囲内に被包装物を載置した状態で、上記パルプモウルド製緩衝板を、その裏面を内側にして二つ折りして上記被包装物を当該パルプモウルド製緩衝板の上記裏面の二面で挟持したものであり、かつ、上記被包装物を挟持した二つ折りの上記パルプモウルド製緩衝板の外側全体を、熱収縮性樹脂フィルムによりシュリンク包装したものであり、上記被包装物が上記パルプモウルド製緩衝板の周縁部より内側に位置しているものであることを特徴とする緩衝包装体により構成される。
【００１０】
このように構成すると、被包装物を例えば長方形板状のパルプモウルド製緩衝板で挟持し、その外側全体をシュリンク包装するという非常に簡易な構成で、パルプモウルド製緩衝板の複数の凸部によって被包装物を緩衝状態で包装することができる。またパルプモウルド製緩衝板は被包装物の大きさに応じて容易にカットすることができるし、二つ折りの緩衝板の大きさに応じて市販のシュリク包装機等によってシュリンク包装も簡易に行うことができるため、各種の大きさ、厚さ等を有する被包装物であっても、被包装物の形態に適した大きさ、形状のパルプモウルド製緩衝板を使用することにより、被包装物を適切に緩衝状態とする緩衝包装体を実現することができる。また、パルプモウルド製緩衝板は、比較的硬い複数の凸部が縦横に形成されており、当該各凸部の裏面は凹部となっているので、内部の被包装物の保護機能及び緩衝機能に優れた性能を有するものである。
【００１１】
第２に、表面に複数の凸部が縦横に形成され、裏面に上記凸部に対応する複数の凹部が形成されたパルプモウルド製緩衝板を使用した緩衝包装体であって、上記パルプモウルド製緩衝板を広げた状態の上記表面における右半部側又は左半部側の範囲内に被包装物を載置した状態で、上記パルプモウルド製緩衝板を上記表面を内側にして二つ折りして上記被包装物を当該パルプモウルド製緩衝板の上記表面の二面で挟持したものであり、かつ、上記被包装物を挟持した二つ折りの上記パルプモウルド製緩衝板の外側全体を、熱収縮性樹脂フィルムによりシュリンク包装したものであり、上記被包装物が上記パルプモウルド製緩衝板の周縁部より内側に位置しているものであることを特徴とする緩衝包装体により構成される。
【００１２】
上記第１の発明の緩衝包装体が、パルプモウルド製緩衝板の裏面に被包装物を載置して、表面を外側として二つ折りにしたものであるが、上記第２の発明の緩衝包装材は、パルプモウルド製緩衝板の表面に被包装物を載置して、裏面を外側として二つ折りにすることにより緩衝包装材を構成したものである。このように、表裏を逆に包装しても、上記第１の発明と同様に、簡易な構成で、パルプモウルド製緩衝板の複数の凹部（又は凸部）によって被包装物を緩衝状態で包装することができる。また第１の発明と同様に、パルプモウルド製緩衝板は被包装物の大きさに応じて容易にカットできるし、緩衝板の大きさに応じて市販のシュリンク包装機等によってシュリンク包装も簡易に行うことができ、被包装物の形態に適した緩衝を行うことのできる緩衝包装体を実現することができる。
【００１３】
第３に、上記パルプモウルド製緩衝板の上記凸部は、各々、頭部が方形を成す截頭四角錘形状であり、上記パルプモウルド製緩衝板の上記表面から上記凸部の上記頭部までの長さは、上記頭部の一辺の長さと同一か、又は、上記頭部の一辺の長さよりも長く形成されているものである上記第１記載の緩衝包装体により構成される。
【００１４】
このように構成すると、複数の凸部は、各凸部自体の大きさは比較的小さいので、各凸部自体の硬度が比較的高く、外部からの衝撃に対して被包装体を確実に保護するという機能を十分に発揮し得る。また、各凸部の裏面（内側）は凹部が形成されているので、各凸部を変形させるような大きな外力が作用した場合においても、凸部自体が変形することで高い衝撃緩衝性を発揮することができるものである。
【００１５】
第４に、上記パルプモウルド製緩衝板の上記凸部は、各々、頭部が方形又は円形を成す直方体形状又は円柱形状であり、上記パルプモウルド製緩衝板の上記表面から上記凸部の上記頭部までの長さは、上記頭部の一辺の長さ又は上記頭部の直径よりも短く形成されているものである上記第１又は２記載の緩衝包装体により構成される。
【００１６】
このようなパルプモウルド製緩衝板の低い凸部は、例えば、パルプモウルド成形した凸部を高さ方向に圧縮することにより形成することができる。このようにして形成された凸部は硬度が高いため、高さは低いが外部からの衝撃に対して被包装体を確実に保護し得る。また、高さは低いが、各凸部の裏面（内側）には凹部が形成されているので、高い衝撃吸収性を有しているものである。
【００１７】
第５に、上記熱収縮性樹脂フィルムの面に、宅配便で送付する宛先を記載したシール片を付着したものである上記第１〜４の何れかに記載の緩衝包装体により形成される。
【００１８】
このように構成すると、本発明に係る緩衝包装材の外面等に宛先を記載したシール片を貼着するだけで、緩衝包装体を宅配便として発送することができ、極めて利便性の高い緩衝包装材を実現し得るものである。
【考案の効果】
【００１９】
本考案によれば、被包装物をパルプモウルド製緩衝板で挟持し、その外側全体をシュリンク包装するという非常に簡易な構成で、パルプモウルド製緩衝板の複数の凸部によって被包装物を緩衝状態で好適に包装することができる。またパルプモウルド製緩衝板は被包装物の大きさに応じて容易にカットすることができるし、二つ折りの緩衝板の大きさに応じて市販のシュリク包装機等によってシュリンク包装も簡易に行うことができるため、各種の大きさ、厚さ等を有する被包装物であっても、被包装物の適切な緩衝包装体を実現することができる。
【００２０】
また、パルプモウルド製緩衝板は、比較的硬い複数の凸部が縦横に形成されており、当該各凸部の裏面は凹部となっているので、内部の被包装物の保護機能及び緩衝機能に優れた性能を有するものである。
【００２１】
また、パルプモウルド製緩衝板の複数の凸部は、各凸部自体の大きさは比較的小さいので、各凸部自体の硬度が比較的高く、外部からの衝撃に対して被包装体を確実に保護するという機能を十分に発揮し得る。また、各凸部の裏面（内側）は凹部が形成されているので、各凸部を変形させるような大きな外力が作用した場合は、凸部自体が変形することで高い衝撃緩衝性を発揮することができる。
【００２２】
また、パルプモウルド製緩衝板の高さの低い凸部は、例えば、パルプモウルド成形した凸部を高さ方向に圧縮することにより形成することができ、このようにして形成された凸部は硬度が高いため、高さは低いが外部からの衝撃に対して被包装体を確実に保護し得る。また、高さは低いが、各凸部の裏面（内側）には凹部が形成されているので、高い衝撃吸収性を有しているものである。
【００２３】
また、本発明に係る緩衝包装材の外面等に宛先を記載したシール片を貼着するだけで、宅配便として発送することができ、極めて利便性の高い緩衝包装材を実現し得る。
【図面の簡単な説明】
【００２４】
【図１】本考案に係る緩衝包装体の斜視図である。
【図２】同上包装体に使用するパルプモウルド製緩衝板の斜視図である。
【図３】同上包装体の製造過程を示す図であり、（ａ）はパルプモウルド製緩衝板を広げた状態の斜視図、（ｂ）は同上緩衝板に被包装物を載置した状態の斜視図、（ｃ）は同緩衝板を二つ折りにした状態の斜視図、（ｄ）はシュリンク包装した後の緩衝包装体の斜視図である。
【図４】同上包装体の斜視図である。
【図５】高さの低い凸部を有するパルプモウルド製緩衝板の斜視図である。
【図６】図５の緩衝板を使用した緩衝包装体の斜視図である。
【図７】図５の緩衝板を使用した緩衝包装体の斜視図である。
【図８】図５の緩衝板の表裏を逆にした状態のパルプモウルド製緩衝板の斜視図である。
【図９】図８の緩衝板を使用した緩衝包装体の斜視図である。
【図１０】図８の緩衝板を使用した緩衝包装体の斜視図である。
【図１１】（ａ）は凸部の斜視図、（ｂ）は凸部の側面図、（ｃ）は高さの低い凸部の斜視図、（ｄ）は高さの低い凸部の側面図、（ｅ）は高さの低い凸部の他の実施形態の斜視図である。
【図１２】同法包装体を宅配便として使用する状態の斜視図である。
【考案を実施するための形態】
【００２５】
以下、添付図面に基づいて本考案に係る緩衝包装体について詳細に説明する。
【００２６】
本発明に係る緩衝包装体１０（図１参照）は、図２、図３に示すように、表面１ａに複数の凸部２が縦横に形成され、裏面１ｂに上記凸部２に対応する複数の凹部２ａが形成された長方形のパルプモウルド製緩衝板１を使用し、図３（ａ）（ｂ）に示すように、上記パルプモウルド製緩衝板１を左右に広げた状態の上記裏面１ｂにおける右半部側又は左半部側の何れかの範囲内に被包装物Ｐ（ここでは所定厚さの本Ｐとする。例えばＢ５版サイズの本）を載置し、その後、図３（ｃ）に示すように、上記パルプモウルド製緩衝板１を、その裏面１ｂ，１ｂを内側にして、中央部の短手方向を折れ線１’を中心として、二つ折りとして、上記本Ｐを当該パルプモウルド製緩衝板１の上記裏面１ｂ，１ｂの二面で挟持し、かつ、図３（ｄ）に示すように、上記本Ｐを挟持した二つ折りの上記パルプモウルド製緩衝板１の外側全体を、透明の熱収縮性樹脂フィルム３によりシュリンク包装したものであり、上記被包装物としての本Ｐが二つ折りとされた上記パルプモウルド製緩衝板１の周縁部１ｃ，１ｄより内側に位置するように構成されたものである（図１、図４参照）。
【００２７】
図１は上述の構成により、本Ｐを包装した緩衝包装体１０を示す。この緩衝包装体１０のパルプモウルド製緩衝板１は、広げると図２に示す長方形板状のものであり、上記凸部２は、図１１（ａ）（ｂ）に示すように、各々、頭部２’が方形（実施形態では正方形）を成す截頭四角錘形状であり、上記パルプモウルド製緩衝板１の上記表面１ａから上記凸部２の上記頭部２’までの突出高さ（上下方向の長さ）Ｔ１は、上記頭部２’の一辺の長さＴ２と同一か（Ｔ１＝Ｔ２）、又は、上記頭部の一辺Ｔ２の長さよりも高く（上下方向に長く）形成されている（Ｔ１＞Ｔ２）。
【００２８】
図４に示すものは、図１のパルプモウルド製緩衝板１と同一の形状大きさの凸部２を有するものを使用したものであるが、被包装物としての本はより小さいもの（例えば文庫本サイズの本Ｐ）を包装したものである。基本的構成は図１の緩衝包装体１０と同一であるが、より小さい面積の長方形状のパルプモウルド製緩衝板１を使用したものである。
【００２９】
具体的には図２に示すパルプモウルド製緩衝板１を被包装物のサイズに応じて切断して用いることができる（例えば、図２のカットラインＣで長方形状にカットして使用する）。従って、被包装物の大きさ、厚み等に応じて、パルプモウルド製緩衝板１を適切な大きさにカットして上記被包装物を包装することができるので、どのような大きさ又は厚みの被包装物であっても、適切な大きさのパルプモウルド製緩衝板１にて緩衝包装体を構成することができる。
【００３０】
また上記熱収縮性樹脂フィルムは、透明、半透明のフィルムを使用することができるが、不透明であっても良い。熱収縮性樹脂フィルムは、例えばポリ塩化ビニル、ポリプロピレン、ポリエチレン、ポリスチレン、ポリオレフィン、ポリエチレンテレフタレート等の公知の熱収縮性樹脂フィルムを使用することができるが、宅配便等での使用を考慮すると、強度が高い樹脂フィルム（例えばポリエチレンテレフタレート、ポリオレフィン、ポリエチレン等）を使用することが好ましい。シュリンク包装は、現在市販されている各種の汎用的なシュリンク包装機（例えば株式会社ハナガタ製のシーラーＨＴ−０４０１２Ｅと、株式会社ハナガタ製のトンネルＨＧ−０５−５００）を使用することが可能である。
【００３１】
また、上記パルプモウルド製緩衝板１は、古紙等のパルプ原料を難解し、網状金型にて抄成後乾燥するという公知のパルプモウルド製法にて製造されたものである。この緩衝板１における上記凸部２は、その１個が小さい（例えば頭部２’の一辺が約１８ｍｍ）ので、その凸部２自体硬度が比較的高いが、内側が空洞（凹部２ａ）となっているので、外部からの衝撃に対する緩衝性も高く、一方、緩衝板としての厚みｔは約３ｍｍ〜４ｍｍと薄いので（図１１（ｂ）参照）、どこからでも二つ折りにし易く、被包装物Ｐを挟持状態で包装するのに非常に適している。
【００３２】
そして、図１、４に示すように、被包装物Ｐを挟持した状態においては、被包装物Ｐの周囲の略全体が、上記凸部２によってガードされた形態となり（被包装物Ｐはパルプモウルド製緩衝板１の周縁部１ｃ，１ｄより内側に位置している）、高い緩衝性を発揮し得るものである。
【００３３】
次に、本発明に係る緩衝包装材としては、図５に示すように、図２に示す凸部２よりもより高さの低い凸部２を有するパルプモウルド製緩衝板１を使用することもできる（図１１（ｃ）（ｄ）参照）。図５に示すパルプモウルド製緩衝板１の上記凸部２は、図１１（ｃ）（ｄ）に示すように、各々、頭部２’が方形（本実施形態の場合は略正方形）を成す直方体形状であり、上記パルプモウルド製緩衝板１の上記表面１ａから上記凸部２の上記頭部２’までの突出高さ（上下方向の長さ）Ｔ３は、上記頭部の一辺の長さＴ４よりも短く（低く）形成されている（Ｔ３＜Ｔ４）。
【００３４】
尚、上記凸部２は上記直方体形状ではなく、円柱状としても良い（図１１（ｅ）参照）。この場合、上記頭部は円形となり、上記パルプモウルド製緩衝板１の上記表面１ａ側から上記凸部２の上記頭部２’までの突出高さ（上下方向の長さ）Ｔ３は、上記頭部２’の円の直径Ｔ４’より短く（低く）形成される（Ｔ３＜Ｔ４’）。
【００３５】
このような、図５に示すような表面１ａに複数の凸部（低い凸部）２が縦横に形成され、裏面１ｂに低い上記凸部２に対応する複数の凹部２ａが形成されたパルプモウルド製緩衝板１を使用した緩衝包装体１０は、図６に示すように、上記パルプモウルド製緩衝板１を広げた状態の上記裏面１ｂにおける右半部側又は左半部側の範囲内に被包装物（この場合薄い雑誌Ｐ）を載置した状態で、上記パルプモウルド製緩衝板１を上記裏面１ｂを内側にして、短手方向の中央部の折れ線１’（図６参照）を中心として、二つ折りにして上記雑誌Ｐを当該パルプモウルド製緩衝板１の上記裏面１ｂ，１ｂの二面で挟持し、かつ、上記雑誌Ｐを挟持した二つ折りの上記パルプモウルド製緩衝板１の外側全体を、熱収縮性樹脂フィルム３によりシュリンク包装することにより構成される。この実施形態においても、上記雑誌Ｐは上記パルプモウルド製緩衝板１の周縁部１ｃ，１ｄより内側に位置するように構成する。
【００３６】
図７に示すものは、図５のパルプモウルド製緩衝板１と同一の低い凸部２を有するものを使用したものであるが、被包装物としての雑誌Ｐはより小さいものを包装したものである。基本的構成は図６の緩衝包装体１０と同一であるが、より小さい面積の長方形状のパルプモウルド製緩衝板１を使用することにより、このような小さい被包装物も適切に緩衝包装することができる。
【００３７】
具体的には図５に示すパルプモウルド製緩衝板１を被包装体のサイズに応じて切断して用いることができる（例えば、図５のカットラインＣで長方形状にカットして使用する）。従って、この場合においても、被包装物の大きさ、厚み等に応じて、パルプモウルド製緩衝板１を適切な大きさにカットして上記被包装物を包装することができるので、どのような大きさ又は厚みの被包装物であっても、適切な緩衝包装体を構成することができる。
【００３８】
また、図５に示すパルプモウルド製緩衝板１は、上記と同様に、古紙等のパルプ原料を難解し、網状金型にて抄成後乾燥するという公知の製法にて製造されたものである。この緩衝板１における上記凸部２は、当初はより突出高さの高い凸部を形成し、その後、緩衝板１の板面（表面１ａ）に直交する方向（高さ方向）に当該凸部を圧縮することにより形成することができる。尚、低い凸部２は圧縮成形せずに、当初より低い高さにて成形しても良い。
【００３９】
このように抄成後、圧縮成形された凸部２は（図５参照）、板面に直交する方向（上下方向）に圧縮されているので、各凸部２自体の硬度が比較的高く、外部からの衝撃に対する高い緩衝性を有している。一方、緩衝板としての厚みｔは約３ｍｍ〜４ｍｍと薄いので（図１１（ｄ）参照）、どこからでも二つ折りにし易く、被包装物Ｐを挟持状態で包装するに非常に適している。
【００４０】
そして、図６、７に示すように、被包装物Ｐを挟持した状態においては、被包装物Ｐの周囲の略全体が、上記凸部２によってガードされた形態となり（被包装物Ｐはパルプモウルド製緩衝板１の周縁部１ｃ，１ｄより内側に位置している）、高い緩衝性を発揮し得るものである。
【００４１】
図８に示すパルプモウルド製緩衝板１は、図５に示すパルプモウルド製緩衝板１（低い凸部２を有するもの）の表裏を逆にして示したものであり、この低い凸部２を有するものについては、パルプモウルド製緩衝板１の表裏を逆にしても緩衝包装材として使用可能である。
【００４２】
即ち、図８は図５のパルプモウルド製緩衝板１の表裏を逆にしたものである。図８に示すパルプモウルド製緩衝板１は、その表面１ａに複数の凸部（低い凸部）２が縦横に形成され、裏面１ｂに低い上記凸部２に対応する複数の凹部２ａが形成されており、図８に示すように、上記パルプモウルド製緩衝板１を広げた状態の上記表面１ａにおける右半部側又は左半部側の範囲内に被包装物（この場合薄い雑誌Ｐ）を載置した状態で、上記パルプモウルド製緩衝板１を上記表面１ａを内側にして、短手方向の中央部の折れ線１’（図９参照）を中心として、二つ折りにして上記雑誌Ｐを当該パルプモウルド製緩衝板１の上記表面１ａ，１ａの二面で挟持し、かつ、上記雑誌Ｐを挟持した二つ折りの上記パルプモウルド製緩衝板１の外側全体を、熱収縮性樹脂フィルム３によりシュリンク包装することにより構成される（図９参照）。この実施形態においても、上記雑誌Ｐは上記パルプモウルド製緩衝板１の周縁部１ｃ，１ｄより内側に位置するように構成する。
【００４３】
図９は、上記パルプモウルド製緩衝板１（凹部２ａが外側）を使用した緩衝包装材１０を示すものであり、被包装体としての雑誌Ｐは比較的薄い厚みのＡ４版のものである。
【００４４】
図１０に示すものは、図９のパルプモウルド製緩衝板１と同一のものを使用したものであるが、被包装体としての雑誌Ｐはより小さいものを包装したものである。基本的構成は図９の緩衝包装体１０と同一であるが、より小さい面積の長方形状のパルプモウルド製緩衝板１を使用することにより、このような小さくて厚みの薄い被包装物も適切に緩衝包装することができる。このように、図５のパルプモウルド製緩衝板１は、表裏どちらに折り曲げても同様の緩衝性を示すので、表裏どちらを内側にしても良い。
【００４５】
本考案に係る緩衝包装材１０をそのまま宅配便として使用する場合は、図１２に示すように、上記熱吸収性樹脂フィルム３の面（上面又は内面）に、宅配便で送付する宛先を記載したシール片４を付着する。このように構成すると、当該緩衝包装体１０をそのまま宅配便として発送することができる。
【００４６】
以上のように、本考案によれば、被包装物Ｐをパルプモウルド製緩衝板１で挟持し、その外側全体をシュリンク包装するという非常に簡易な構成で、パルプモウルド製緩衝板１の複数の凸部２によって被包装物Ｐを緩衝状態で好適に包装することができる。またパルプモウルド製緩衝板１は被包装物Ｐの大きさに応じて容易にカットすることができるし、二つ折りの緩衝板の大きさに応じて市販のシュリンク包装機等によってシュリンク包装も簡易に行うことができるため、各種の大きさ、厚さ等を有する被包装物であっても、被包装物の適切な緩衝包装体を実現することができる。
【００４７】
また、パルプモウルド製緩衝板１は、比較的硬い複数の凸部２が縦横に形成されており、当該各凸部２の裏面は凹部２ａとなっているので、内部の被包装物Ｐの保護機能及び緩衝機能に優れた性能を有するものである。
【００４８】
また、パルプモウルド製緩衝板１の複数の凸部２は、各凸部２自体の大きさは比較的小さいので、各凸部２自体の硬度が比較的高く、外部からの衝撃に対して被包装物Ｐを確実に保護するという機能を十分に発揮し得る。
【００４９】
また、各凸部２の裏面（内側）は凹部２ａが形成されているので、各凸部２を変形させるような大きな外力が作用した場合は、凸部２自体が変形することで高い衝撃緩衝性を発揮することができる。
【００５０】
また、パルプモウルド製緩衝板の高さの低い凸部２は、例えば、パルプモウルド成形した凸部２を高さ方向に圧縮することにより形成することができ、このようにして形成された凸部２は硬度が高いため、高さは低いが外部からの衝撃に対して被包装物Ｐを確実に保護し得る。また、高さは低いが、各凸部２の裏面（内側）には凹部２ａが形成されているので、高い衝撃吸収性を有しているものである。
【００５１】
また、本発明に係る緩衝包装材１０の外面等に宛先を記載したシール片４を貼着するだけで、宅配便として発送することができ、極めて利便性の高い緩衝包装材を実現し得る。
【産業上の利用可能性】
【００５２】
本考案に係る緩衝包装材は、各種の大きさ、各種の厚みを有する被包装物を適切に緩衝包装することができ、しかも、そのままの状態で宅配便として発送することも可能であるため、極めて利便性の高いものである。
【符号の説明】
【００５３】
１                パルプモウルド製緩衝板
１ａ              表面
１ｂ              裏面
１ｃ，１ｄ        周縁部
２                凸部
２’              頭部
２ａ              凹部
３                熱収縮性樹脂フィルム
Ｔ１，Ｔ３        突出高さ
Ｔ２，Ｔ４        頭部の一辺の長さ
Ｔ４’            頭部の直径
Ｐ                被包装物
【図１】
0003202429.tif 000003
【図２】
0003202429.tif 000004
【図３】
0003202429.tif 000005
【図４】
0003202429.tif 000006
【図５】
0003202429.tif 000007
【図６】
0003202429.tif 000008
【図７】
0003202429.tif 000009
【図８】
0003202429.tif 000010
【図９】
0003202429.tif 000011
【図１０】
0003202429.tif 000012
【図１１】
0003202429.tif 000013
【図１２】
0003202429.tif 000014